(57)【要約】  【課題】汚水桝本体の受口部に嵌挿接続される排水管が抜け方向に移動可能でかつ汚水桝本体の受口部とこの受口部に嵌挿した排水管との間で円周方向に回転が起き難い汚水桝を提供する。  【解決手段】汚水桝本体10の排水本管系の流入側排水管と流出側排水管とを接続する流入側受口部12と流出側受口部13との内周面に、嵌合接続した排水管の外周面に圧接して汚水桝本体10と排水管との相互のずれを防止する排水管抜け止め突起19を形成する。流入側受口部12と流出側受口部13に嵌合接続した各排水管の外周面に圧接するシール材22の保持溝23を各受口部12，13の内周面に形成する。流入側受口部12と流出側受口部13との内周面の内端部には、この各受口部12，13にそれぞれ嵌挿接続した排水管の端末部が当接するストッパー段部15，16を形成する。  【選択図】図１
2005048468.tif 000002
【特許請求の範囲】
【請求項１】
インバート部と、このインバート部に連通して一方端面に開口され流入側排水管を接続する少なくとも１つの流入側受口部と、前記インバート部に連通して他方端面に開口され流出側排水管を接続する流出側受口部と、前記インバート部の上方に開口した掃除口とを有する汚水桝本体を備え、
前記各流入側受口部と流出側受口部との各内周面に、この各受口部に嵌挿接続される各排水管の外周面に圧接して液密に保持する環状の弾性シール材の保持溝を環状に形成し、
前記各流入側受口部と流出側受口部との内周面の内端部には、この各受口部にそれぞれ嵌挿接続される排水管の端末部が当接するストッパー段部を形成し、
前記流入側受口部の少なくとも排水本管系の排水管を接続する流入側受口部と前記流出側受口部との各内周面に、前記ストッパー段部に隣接しかつ嵌挿接続される排水管の外周面に圧接する複数の排水管抜け止め突起を形成した
ことを特徴とする汚水桝。
【請求項２】
排水管抜け止め突起は、汚水桝本体の各受口部の外端側から内端側に向ってこの受口部の内周縮径方向に傾斜したテーパー面と、このテーパー面の内端側から前記ストッパー段部に向って受口部の内周面と平行の圧接面とを有し、この圧接面の内径は嵌挿される排水管の外径より小径としたことを特徴とする請求項１記載の排水桝。
【発明の詳細な説明】
【技術分野】
【０００１】
本発明は、家屋の敷地内に配管される下水道などの排水管路に設置する汚水桝に関する。
【背景技術】
【０００２】
従来のこの種の汚水桝においては、汚水桝本体の流入側受口部および流出側受口部とこの各受口部に嵌挿される排水管との接合は、汚水桝本体と排水管とが同材質、例えば、塩化ビニール樹脂にて成形されているときには、接着剤により接着して汚水が漏洩することがないようにする構成が一般的に採用されている。そして、汚水桝本体の受口部の内径は外端側が排水管の外径より多少大きく、内端側は排水管の外径より多少小さくなっている。
【０００３】
しかしながら、汚水桝本体と排水管とを接着剤で固着した場合、例えば、地震などによる地盤変動、または熱伸縮が発生した場合、汚水桝本体の流入側または流出側受口部に嵌挿された排水管はこの汚水桝本体の各受口部を進退移動できないため、汚水桝本体の受口部と排水管との接着部が破壊されるおそれがある。
【０００４】
そこで、この汚水桝本体の流入側受口部と排水管との接続部が地震或いは熱伸縮などで破壊されることがないように、汚水桝の流入側受口部に嵌挿した排水管の外周面に圧接する環状シール材を設け、汚水桝本体の流入側受口部に対して排水管が管軸方向に沿って抜け方向に移動できるようにした汚水桝が知られている(例えば、特許文献１参照)。
【０００５】
そして、上記構造の汚水桝では、地震などによって生じる地盤変動、熱伸縮などによって、環状シール材が外周面に圧接されている排水管が管軸方向に沿って抜ける方向に移動して、汚水桝本体の流入側受口部と排水管との接続部の破壊を防止できる。
【特許文献１】特開平１０‐２３７９３８号公報（第２‐３頁、図１）
【発明の開示】
【発明が解決しようとする課題】
【０００６】
解決しようとする問題点は、汚水桝本体の流入側及び流出側受口部の内周面に環状シール材を設けた構成では、シール材の弾性圧縮度合いが止水性能に影響し、汚水桝本体の流入側または流出側受口部の内径と排水管の外径とが略同径であると、シール材を均等かつ充分に弾性圧縮できず、止水性能が充分に得られなくなるので、排水管の外径より汚水桝本体の受口部の内径は余裕をもって大きく形成する必要がある。
【０００７】
しかしながら、排水管の外径寸法よりも汚水桝本体の流入側または流出側受口部の内径寸法を大きくすると、流入側または流出側受口部に排水管を嵌挿された状態では、排水管はシール材が主となって支えられるため、汚水桝本体の流入側または流出側受口部と排水管との接合力が接着による接合力よりも弱くなる問題がある。
【０００８】
また、排水管を汚水桝本体の受口部に嵌挿接続するときに、排水管を左右に振りながら汚水桝本体の受口部に押し込むとか、或いは、排水管に衝撃を加えて押し込むなどで施工したとき、その衝撃外力で排水管を接続しようとしている汚水桝本体に既に接続されている他の排水管、汚水桝本体が抜け外れ易く、この抜け外れ現象は、特に軟弱地盤での汚水桝本体の設置施工において、先に接続されている汚水桝本体が安定し難い場合に顕著にみられる。
【０００９】
さらに、汚水桝本体の流入側受口部および流出側受口部にそれぞれ接続された流入側排水管と流出側排水管との管軸方向が同一直線上に位置する排水本管系では、排水管が汚水桝本体の受口部から管軸方向に移動できるように嵌挿接続すると、この両排水管を軸として汚水桝本体が回転してしまうことがあり、特に、汚水桝本体の埋め戻し作業に際して、汚水桝本体から垂直に立ち上がる掃除口用の立ち上がり管に土砂を掛けるときに汚水桝本体が回転して立ち上がり管が傾斜し、立ち上がり管を垂直に埋め戻す作業が困難となる問題がある。
【００１０】
本発明は、上記問題点に鑑みなされたもので、汚水桝本体の流入側または流出側受口部に嵌挿接続される排水管が確実に嵌挿接続されるとともに、排水管が管軸方向の抜け方向に移動可能で、地震、熱伸縮で汚水桝本体と排水管との接続部が破損するおそれがなく、また、汚水桝本体が排水管の円周方向への回転が起き難い汚水桝を提供するものである。
【課題を解決するための手段】
【００１１】
本発明の汚水桝は、インバート部と、このインバート部に連通して一方端面に開口され流入側排水管を接続する少なくとも１つの流入側受口部と、前記インバート部に連通して他方端面に開口され流出側排水管を接続する流出側受口部と、前記インバート部の上方に開口した掃除口とを有する汚水桝本体を備え、前記各流入側受口部と流出側受口部との各内周面に、この各受口部に嵌挿接続される各排水管の外周面に圧接して液密に保持する環状の弾性シール材の保持溝を環状に形成し、前記各流入側受口部と流出側受口部との内周面の内端部には、この各受口部にそれぞれ嵌挿接続される排水管の端末部が当接するストッパー段部を形成し、前記流入側受口部の少なくとも排水本管系の排水管を接続する流入側受口部と前記流出側受口部との各内周面に、前記ストッパー段部に隣接しかつ嵌挿接続される排水管の外周面に圧接する複数の排水管抜け止め突起を形成したものである。
【００１２】
そして、汚水桝本体の各流入側または流出側受口部に排水管を嵌挿接続した状態で、排水管の外周面に複数の排水管抜け止め突起が圧接して汚水桝本体に排水管が確実に嵌挿接続されるとともに、排水管は管軸方向に沿って抜け方向に移動が可能で、地震による地盤変動、熱伸縮により汚水桝本体と排水管との接続部が破損するおそれがなく、また、排水桝本体の流入側受口部と流出側受口部との管軸が直線上に位置している場合でも、排水桝本体が排水管の円周方向への回転が防止され、汚水桝本体の埋め戻し時に汚水桝本体の掃除口に接続した立ち上がり管が傾斜されることなく、垂直状態で埋設され、汚水桝本体の埋め戻しの施工作業が容易にできる。
【００１３】
さらに、汚水桝本体の各受口部の内周面にこの流入口部に嵌挿された排水管の外周面に圧接して液密に保持するシール材の保持溝を環状に形成したので、排水管が管軸方向に移動してもシール材によって流入側受口部と排水管との液密性は保持される。
【００１４】
また、本発明の汚水桝において、排水管抜け止め突起は、汚水桝本体の各受口部の外端側から内端側に向ってこの受口部の内周縮径方向に傾斜したテーパー面と、このテーパー面の内端側から前記ストッパー段部に向って受口部の内周面と平行の圧接面とを有し、この圧接面の内径は嵌挿される排水管の外径より小径としたものである。
【００１５】
そして、汚水桝本体の受口部に排水管を嵌挿接続するときに、排水管の外周面は、排水管抜け止め突起の内周縮径方向に傾斜したテーパー面と接合しながら嵌挿され、排水管抜け止め突起のテーパー面が案内となって容易に嵌挿されるとともに、排水管の先端がストッパー段部に当接した状態で排水管は確実に汚水桝本体の受口部に接続され、汚水桝本体の受口部から排水管が簡単に抜け外れることがなく、また、排水管の円周方向に汚水桝本体の回動が阻止される。
【発明の効果】
【００１６】
本発明は、汚水桝本体の各流入側または流出側受口部に排水管を嵌挿接続した状態で、排水管の外周面に排水管抜け止め突起が圧接し、汚水桝本体と排水管との相互の抜け外れが防止されて確実に排水管が汚水桝本体に接続されるとともに、地震による地盤の変動または熱伸縮によって汚水桝本体の受口部に嵌挿接続した排水管が管軸方向に沿って抜け方向に移動でき、汚水桝本体の受口部と排水管との接続部が破壊されることがない。また、汚水桝本体の流入側受口部と流出側受口部にそれぞれ接続した排水管の管軸が直線上に位置していても汚水桝本体の回転が防止され、汚水桝の埋め戻し時に汚水桝本体の掃除口に接続した立ち上がり管が傾斜されることなく、垂直状態で埋設され、汚水桝本体の埋め戻し施工作業を容易にすることができ、さらに、汚水桝本体の各受口部に嵌挿された排水管が管軸方向に移動してもシール材によって受口部と排水管との液密性は保持される。
【００１７】
また、本発明は、汚水桝本体の受口部に排水管を嵌挿接続するときに、排水管の外周面は、排水管抜け止め突起の内周縮径方向に傾斜したテーパー面と接合しながら嵌挿され、排水管抜け止め突起のテーパー面が案内となって容易に嵌挿されるとともに、排水管の先端がストッパー段部に当接した状態で確実に汚水桝本体の受口部に排水管が接続されるとともに汚水桝本体がこの汚水桝本体に接続した排水管の円周方向への回動が阻止される。
【発明を実施するための最良の形態】
【００１８】
本発明の一実施の形態を図１ないし図４に基づいて説明する。
【００１９】
図１ないし図４において、汚水桝本体10は、塩化ビニール樹脂などの合成樹脂にて成形され、この汚水桝本体10は、内底部にて直線状のインバート部11が形成され、前記汚水桝本体10の一方の端面、例えば一端面には前記インバート部11の一端部と連通する筒状の流入側受口部12が開口され、この汚水桝本体10の他方の端面、例えば他端面にはインバート部11の他端部と連通する筒状の流出側受口部13が前記流入側受口部12に対向して相対して開口され、この流入側受口部12と流出側受口部13とは管軸が略同一直線上に位置し、この流入側受口部12と流出側受口部13には排水本管系の排水管17，18を接続するようになっている。なお、この汚水桝本体10のインバート部11は流入側受口部12から流出側受口部13に向って下方に傾斜されている。
【００２０】
また、前記汚水桝本体10の一側面または両側面にはインバート部11の中間部に分岐して連通され枝管系の流入側排水管17を接続する筒状の流入側受口部12aが開口されている。さらに、このインバート部11の上方にはこのインバート部11に連通する掃除口14が開口されている。
【００２１】
そして、前記各流入側受口部12，12aおよび流出側受口部13の内周内端部にはこの流入側受口部12，12aまたは流出側受口部13に嵌挿接続される流入側または流出側排水管17，18の端末部が当接するストッパー段部15，16が形成され、この各流入側受口部12，12aまたは流出側受口部13にそれぞれ挿嵌された各流入側排水管17または流出側排水管18は、その端末部がストッパー段部15，16に当接した状態で接続される。
【００２２】
さらに、前記管軸が略同一直線上に位置する流入側受口部12と流出側受口部13の内周面の上部と両側の３箇所には、前記ストッパー段部15，16に隣接して、排水管抜け止め突起19がこの流入側受口部12と流出側受口部13の中心に向って突設されている。
【００２３】
そして、この排水管抜け止め突起19は、前記流入側受口部12と流出側受口部13に嵌挿された排水管17，18の外周面に圧接して排水管17，18の管軸方向の抜け方向の位置ずれ移動を可能な状態で前記汚水桝本体10とこの排水管17，18との接続を確実にするとともに、両受口部12，13に接続した排水管17，18の円周方向への汚水桝本体10の回転を防止する。
【００２４】
そして、この各排水管抜け止め突起19は、流入側受口部12の外端側から内端側に向ってこの流入側または流出側受口部12，13の内周縮径方向に傾斜したテーパー面20と、このテーパー面20の内端側から前記ストッパー段部15，16に向って流入側または流出側受口部12，13の内周面と平行の圧接面21とを有し、この圧接面21の内径は嵌挿される排水管17，18の外径より小径に形成されている。
【００２５】
また、前記各流入側受口部12，12aと流出側受口部13の内周面の中間部より開口端寄りには、その内周面に沿ってゴムなどの弾性部材から構成される環状のシール材22を嵌着する保持溝23がそれぞれ環状に形成され、この各保持溝23にそれぞれ嵌着したシール材22は、各流入側受口部12，12a及び流出側受口部13に嵌挿接続した各排水管17，18の外周面に圧接して各流入側受口部12，12aおよび流出側受口部13と各排水管17，18との接続部をそれぞれ液密に保持する。
【００２６】
さらに、前記汚水桝本体10の底部には一体に成形される台脚26が形成され、また、この汚水桝本体10の上部に上向きに開口された前記掃除口14には図４に示すように接続管27が嵌挿接続され、この接続管27の上端開口部に嵌挿した枠体28には地表面と略同一面に設置される点検または掃除用の蓋体29によって閉塞され、必要に応じて地上より蓋体29を開き、この汚水桝本体10の点検、掃除ができるようになっている。
【００２７】
なお、前記汚水桝本体10は枝管系の流入側排水管17を接続する流入側受口部12aを形成した構成について説明したが、この構成に限られるものではなく、図５に示すように、枝管系の流入側排水管17を接続する流入側受口部12aを形成せずに直線状のインバート部11の両端部に管軸が直線上に位置する流入側受口部12と流出側受口部13とを形成した汚水桝本体10Ａ、または、90°方向に湾曲したインバート部11Ｂの両端部に流入側受口部12と流出側受口部13を形成した汚水桝本体10Ｂとすることもできる。
【００２８】
次に、この実施の形態の作用について説明する。
【００２９】
例えば、図５に示すように、建造物30の排水設備に接続された流入側排水管17を、敷地31内に設置した90°方向に湾曲したインバート部11Ｂを有する汚水桝本体10Ｂの流入側受口部12に接続し、この汚水桝本体10Ｂの流出側受口部13に流出側排水管18を接続し、この流出側排水管18は流入側排水管17となって汚水桝本体10の流入側受口部12に接続するとともに流入側受口部12aに排水設備に接続された枝管系の流入側排水管17を接続する。
【００３０】
さらに、汚水桝本体10の流出側受口部13に接続した流出側排水管18を流入側排水管17として90°方向に湾曲したインバート部11Ｂを有する汚水桝本体10Ｂの流入側受口部12に接続し、この汚水桝本体10Ｂの流出側受口部13に接続した流出側排水管18をこの流入側排水管17として順次に汚水桝本体10，10の流入側受口部12に接続するとともに汚水桝本体10，10の流入側受口部12a，12aに排水設備に接続された枝管系の流入側排水管17，17をそれぞれ接続し、この汚水桝本体10の流出側受口部13に接続した流出側排水管18を流入側排水管17として直線状のインバート部11の両端部に管軸が直線上に位置する流入側受口部12と流出側受口部13とを形成した汚水桝本体10Ａの流入側受口部12に接続し、この汚水桝本体10Ａの流出側受口部13に接続した流出側排水管18を公共桝32に接続する。
【００３１】
この汚水桝本体10Ｂ、汚水桝本体10、汚水桝本体10Ｂ、汚水桝本体10，10、汚水桝本体10Ａ及び公共桝32を接続した配管系が排水本管系34となり、排水設備から汚水桝本体10の流入側受口部12aに接続する配管系が枝管系35となり、排水設備から流下する汚水は、枝管系35の流入側排水管17から各汚水桝本体10の流入側受口部12aに流入し、インバート部11を経て下流側の流出側受口部13に接続した流出側排水管18に流出され、汚水桝本体10から、汚水桝本体10Ｂ、汚水桝本体10，10、汚水桝本体10Ａを経て公共桝32に流出される。
【００３２】
そして、汚水桝本体10の流入側受口部12と流出側受口部13とにそれぞれ排水管17，18の端末部をストッパー段部15，16に当接するまで挿入して接続する。この排水管17，18をそれぞれ流入側受口部12と流出側受口部13に嵌挿するとき、排水管17，18の外周面は、排水管抜け止め突起19の内周縮径方向に傾斜したテーパー面20を摺動しながら嵌挿され、排水管抜け止め突起19のテーパー面20が案内となって容易に嵌挿されるとともに、排水管17，18の端末部がストッパー段部15，16に当接した状態で確実に汚水桝本体10の流入側及び流出側受口部12，13に排水管17，18が接続され、汚水桝本体10がこの汚水桝本体10に接続した排水管17，18の円周方向への回動が阻止される。
【００３３】
この状態で、汚水桝本体10のストッパー段部15，16に排水管17，18の端末部が当接した状態で、流入側受口部12，12aと流出側受口部13の保持溝23に嵌着した環状のシール材22は排水管17，18の外周にそれぞれ圧接され、排水管17，18と流入側受口部12，12aと流出側受口部13との各接続部の液密状態が保持される。
【００３４】
また、汚水桝本体10の排水本管系34の流入側受口部12及び流出側受口部13に接続されている排水管17，18は、嵌挿方向とは逆の抜け方向に移動できるが、各排水管抜け止め突起19の圧接力によって排水管17，18のがたつきが阻止されている。
【００３５】
また、地震などによる地盤の変動が大きく生じた場合、或いは、熱伸縮などによって汚水桝本体10の各流入側受口部12または流出側受口部13のいずれか一つまたは二つに接続した排水管17，18との接続部にスラスト荷重が掛ったとき、流入側受口部12または流出側受口部13のいずれかに嵌挿接続した排水管17，18は抜け方向に移動され、汚水桝本体10の流入側または流出側受口部12，13と排水管17，18との接続部が破損することがない。
【００３６】
上記実施の形態では、排水本管系34の流入側排水管17と流出側排水管18とを接続する流入側受口部12と流出側受口部13との内周面に各排水管抜け止め突起19を形成したが、枝管系35の流入側受口部12aにも各排水管抜け止め突起19を形成することもできる。
【図面の簡単な説明】
【００３７】
【図１】本発明の実施の形態を示す汚水桝の汚水桝本体の縦断正面図である。
【図２】同上汚水桝本体の受口部の拡大縦断正面図である。
【図３】同上回転防止突起部の拡大縦断正面図である。
【図４】同上汚水桝本体に排水管および接続管を接続した施工状態を示す縦断正面図である。
【図５】同上汚水桝本体に排水管を接続した施工状態を示す説明平面図である。
【符号の説明】
【００３８】
10    汚水桝本体
11    インバート部
12，12a    流入側受口部
13    流出側受口部
14    掃除口
15，16    ストッパー段部
17    流入側排水管
18    流出側排水管
19    排水管抜け止め突起
20    テーパー面
21    圧接面
22    シール材
23    保持溝
【図１】
2005048468.tif 000003
【図２】
2005048468.tif 000004
【図３】
2005048468.tif 000005
【図４】
2005048468.tif 000006
【図５】
2005048468.tif 000007